(57)【特許請求の範囲】
【請求項１】
遊技球が転動可能な遊技領域を有する遊技盤と、
前記遊技盤の遊技領域内に遊技球を発射する打球槌と、
前記打球槌に供給する遊技球を貯留する上皿と、
前記上皿より低所に設けられ、前記上皿から溢れた遊技球を受ける下皿と、
前記遊技盤の遊技領域内に設けられ、前記遊技盤の遊技領域内を転動する遊技球が入賞可能な入賞口と、
遊技球が前記入賞口に入賞することに基づいて入賞信号を出力する入賞口センサと、
遊技者に賞品として払出す遊技球を貯留する球タンクと、
第１のケースおよび第２のケースを相互に接合してなる本体ケースと、
前記第１のケースに設けられ、前記球タンクから遊技球が一列に供給されると共に前記球タンクから供給された遊技球が一列に充填されるものであって、前記第２のケース側の一面が開口する第１の球供給路と、
前記第２のケースに設けられ、前記球タンクから遊技球が一列に供給されると共に前記球タンクから供給された遊技球が一列に充填されるものであって、前記第１のケース側の一面が開口する第２の球供給路と、
前記第１のケースおよび前記第２のケースの相互間に介在され、前記第１の球通路の一面および前記第２の球通路の一面のそれぞれを共通に閉鎖する第１の仕切部材と、
前記本体ケースに装着可能に構成され、前記入賞口センサから入賞信号が出力されていないときには前記第１の球供給路および前記第２の球供給路のそれぞれから遊技球が排出されることを禁止するものであって、前記入賞口センサから入賞信号が出力されることに基づいて前記第１の球供給路および前記第２の球供給路のそれぞれから遊技球を排出させる払出機構と、
前記第１のケースに設けられ、前記第１の球供給路から排出された遊技球が進入するものであって、前記第２のケース側の一面が開口する第１の球排出室と、
前記第１の球排出室内に設けられ、前記上皿に繋がる第１の上皿通路および前記下皿に繋がる第１の下皿通路のそれぞれを前記第１の球排出室内に区画形成する第１の区画部材と、
前記第２のケースに設けられ、前記第２の球供給路から排出された遊技球が進入するものであって、前記第１のケース側の一面が開口する第２の球排出室と、
前記第２の球排出室内に設けられ、前記上皿に繋がる第２の上皿通路および前記下皿に繋がる第２の下皿通路のそれぞれを前記第２の球排出室内に区画形成する第２の区画部材と、
前記第１のケースおよび前記第２のケースの相互間に介在され、前記第１の球排出室の一面および前記第２の球排出室の一面のそれぞれを共通に閉鎖する第２の仕切部材を備えたことを特徴とするパチンコ遊技機。
【発明の詳細な説明】
【技術分野】
【０００１】
本発明は遊技球が入賞口に入賞することに基づいて遊技者に遊技球を賞品として払出す構成のパチンコ遊技機に関する。
【背景技術】
【０００２】
上記パチンコ遊技機には遊技盤に取付枠を取付け、取付枠に球タンクを装着した構成のものがある。この球タンクは遊技者に賞品として払出す遊技球を貯留するものであり、取付枠には球タンクより低所に位置して本体ケースが取付けられている。この本体ケースの内部には第１の球供給路および第２の球供給路のそれぞれが形成されている。これら第１の球供給路および第２の球供給路のぞれぞれは球タンクに接続されたものであり、遊技球が入賞口に入賞したときには球タンク内の遊技球が本体ケースの第１の球供給路および第２の球供給路のそれぞれから排出される。このパチンコ遊技機の場合には本体ケースの内部に合流路と上皿通路と下皿通路が形成されている。合流路は第１の球供給路から排出された遊技球および第２の球供給路から排出された遊技球のそれぞれが共通に進入するものであり、上皿通路および下皿通路のそれぞれは合流路を通して遊技球が進入するものであり、合流路から上皿通路内に進入した遊技球は上皿内に払出され、合流路から下皿通路内に進入した遊技球は下皿内に払出される。
【特許文献１】特開２００６−２３０９２３号公報
【発明の開示】
【発明が解決しようとする課題】
【０００３】
上記パチンコ遊技機の場合には第１の球供給路および第２の球供給路のそれぞれから共通の合流路内に遊技球を排出し、合流路内の遊技球を上皿通路から上皿内または下皿通路から下皿内に払出している。このため、遊技球が第１の球供給路および第２の球供給路の２列から合流路の１列になる時点で遊技球が合流路内で詰まる可能性が高く、遊技球を上皿内または下皿内に円滑に払出すことができない問題点がある。
【０００４】
本発明は上記事情に鑑みてなされたものであり、遊技球を上皿内および下皿内のそれぞれに円滑に払出すことができるパチンコ遊技機を提供することを目的とするものである。
【課題を解決するための手段】
【０００５】
１．請求項１記載のパチンコ遊技機の説明
請求項１記載のパチンコ遊技機は１）遊技盤〜１５）第２の仕切部材を備えたところに特徴を有している。
１）遊技盤は遊技球が転動可能な遊技領域を有するものである。図２の符号１４は遊技盤の一例であり、図２の符号２１は遊技領域の一例である。
２）打球槌は遊技盤の遊技領域内に遊技球を発射するものである。
３）上皿は打球槌に供給する遊技球を貯留するものであり、図１の符号７は上皿の一例である。
４）下皿は上皿より低所に設けられたものであり、上皿から溢れた遊技球を受けるものである。図１の符号１１は下皿の一例である。
５）入賞口は遊技盤の遊技領域内に設けられたものであり、遊技盤の遊技領域内を転動する遊技球が入賞可能なものである。図２の符号２２は入賞口の一例である。
６）入賞口センサは遊技球が入賞口に入賞することに基づいて入賞信号を出力するものであり、図２の符号２３は入賞口センサの一例である。
７）球タンクは遊技者に賞品として払出す遊技球を貯留するものであり、図２の符号２７は球タンクの一例である。
８）本体ケースは、第１のケースおよび第２のケースを相互に接合してなる。第１の球供供給路は、第２のケース側の一面が開口する。第２の球供給路は、第１のケース側の一面が開口する。これら第１の球供給路および第２の球供給路のそれぞれは球タンクから遊技球が一列に供給されるものであり、第１の球供給路内および第２の球供給路内のそれぞれは球タンクから供給された遊技球が一列に充填される。図３の符号４０は本体ケースの一例であり、図１２の左球供給路８０は第１の球供給路に相当し、図１２の右球供給路８３は第２の球供給路に相当する。
９）払出機構は、本体ケースに装着可能に構成され、入賞口センサから入賞信号が出力されていないときには第１の球供給路および第２の球供給路のそれぞれから遊技球が排出されることを禁止するものであり、入賞口センサから入賞信号が出力されることに基づいて第１の球供給路および第２の球供給路のそれぞれから遊技球を排出させるものである。図９の左スプロケット６６と右スプロケット６０と賞球モータ４９は払出機構を構成するものであり、図１６の賞球モータ１５５およびスクリュー１５６は払出機構を構成するものである。
１０）第１の球排出室は第１のケースに設けられたものであり、第１の球供給路から排出された遊技球が進入するものである。この第１の球排出室は、第２のケース側の一面が開口する。図９の左球貯留室１００は第１の球排出室の一例である。
１１）第１の区画部材は第１の球排出室内に設けられたものであり、上皿に繋がる第１の上皿通路および下皿に繋がる第１の下皿通路のそれぞれを第１の球排出室内に区画形成するものである。図９の左区画部材１０２は第１の区画部材の一例である。この左区画部材１０２は上皿７に繋がる左上皿誘導路１０３および下皿１１に繋がる左下皿誘導路１０４のそれぞれを左球貯留室１００内に区画形成するものであり、左上皿誘導路１０３は第１の上皿通路に相当し、左下皿誘導路１０４は第１の下皿通路に相当する。
１２）第２の球排出室は第２のケースに設けられたものであり、第２の球供給路から排出された遊技球が進入するものである。図１２の右球貯留室１０１は第２の球排出室の一例である。
１３）第２の区画部材は第２の球排出室内に設けられたものであり、上皿に繋がる第２の上皿通路および下皿に繋がる第２の下皿通路のそれぞれを第２の球排出室内に区画形成するものである。図１２の右区画部材１０６は第２の区画部材の一例である。この右区画部材１０６は上皿７に繋がる右上皿誘導路１０７および下皿１１に繋がる右下皿誘導路１０８のそれぞれを右球貯留室１０１内に区画形成するものであり、右上皿誘導路１０７は第２の上皿通路に相当し、右下皿誘導路１０８は第２の下皿通路に相当する。
１４）第１の仕切部材は、第１のケースおよび第２のケースの相互間に介在され、第１の球通路の一面および第２の球通路の一面のそれぞれを共通に閉鎖する。
１５）第２の仕切部材は、第１のケースおよび第２のケースの相互間に介在され、第１の球排出室の一面および第２の球排出室の一面のそれぞれを共通に閉鎖する。
【発明の効果】
【０００６】
１．請求項１記載のパチンコ遊技機の効果の説明
遊技球が入賞口に入賞したときには駆動機構が運転され、第１の球供給路および第２の球供給路のそれぞれから遊技球が排出される。これら第１の球供給路および第２の球供給路のそれぞれは球タンクから遊技球が一列に供給され且つ遊技球が一列に転動するものであり、第１の球供給路から排出された遊技球は第１の球排出室を通して第１の上皿通路内または第１の下皿通路内に進入し、第１の上皿通路を通して上皿内または第１の下皿通路を通して下皿内に払出される。第２の球供給路から排出された遊技球は第２の球排出室を通して第２の上皿通路内または第２の下皿通路内に進入し、第２の上皿通路を通して上皿内または第２の下皿通路を通して下皿内に払出される。このため、球タンクから本体ケースを経由して上皿および下皿のそれぞれに至るまで遊技球が合流することなく転動するので、遊技球が転動途中で本体ケースの内部に詰まることなく上皿内および下皿内のそれぞれに円滑に払出される。
【発明を実施するための最良の形態】
【０００７】
【実施例１】
【０００８】
外枠１は、図１に示すように、複数の木材を前後面が開口する四角筒状に相互に接合することから構成されたものである。この外枠１には、図２に示すように、内枠２が装着されている。この内枠２は外枠１の前面を覆う閉鎖状態および外枠１の前面を開放する開放状態相互間で軸３を中心に回動操作可能にされたものであり、内枠２の下端部には垂直な台板４が形成されている。この台板４の右下部にはスピーカ５が固定されており、遊技者にはスピーカ５から楽曲等の遊技音が出力される。
【０００９】
内枠２には、図１に示すように、内枠２の前方に位置して前枠６が装着されており、前枠６は内枠２の前面を閉鎖する閉鎖状態および内枠２の前面を開放する開放状態相互間で内枠２と共通の軸３を中心に回動操作可能にされている。この前枠６には上皿７が固定されている。この上皿７は上面が開口する容器状をなすものであり、内枠２の台板４には、図２に示すように、上皿７の後方に位置して通路部材８が固定されている。この通路部材８には前面および後面のそれぞれが開口する四角筒状の上払出口９が形成されており、上払出口９は２個の遊技球が左右方向に同時に並んで転動することが可能な大きさに設定されている。この上払出口９は遊技球を上皿７内に払出すものであり、上払出口９から上皿７内に払出された遊技球は上皿７内に貯留される。
【００１０】
内枠２には、図１に示すように、前枠６の下方に位置して横長な長方形状の下皿板１０が固定されており、下皿板１０には下皿１１が固定されている。この下皿１１は遊技球を貯留するものであり、上面が開口する容器状をなしている。この下皿板１０には下皿１１の右方に位置してハンドル台１２が固定されており、ハンドル台１２には発射ハンドル１３が装着されている。この発射ハンドル１３は前後方向へ延びる軸を中心に回動操作可能にされたものであり、発射ハンドル１３が予め決められた初期位置から時計回り方向へ回動操作されたときには発射ソレノイドに駆動電源が与えられる。この発射ソレノイドの出力軸には打球槌が連結されている。これら発射ソレノイドおよび打球槌のそれぞれは内枠２の台板４に装着されたものであり、発射ソレノイドは駆動電源が与えられることに基づいて打球槌を待機位置および打球位置相互間で往復的に移動操作する。この打球槌は上皿７内から遊技球が１個単位で移送されるものであり、上皿７内から打球槌に移送された遊技球は打球槌が待機位置から打球位置へ移動することに基づいて打球槌によって叩かれる。
【００１１】
内枠２には、図２に示すように、台板４の上方に位置して垂直な板状の遊技盤１４が装着されており、遊技盤１４の前面には内レール１５と外レール１６と球止め部材１７のそれぞれが固定されている。内レール１５は上面が開口する円弧状をなすものであり、外レール１６は内レール１５の外周部に配置された円弧状をなすものであり、球止め部材１７は内レール１５の右端部および外レール１６の右端部相互間の隙間を塞いでいる。これら内レール１５および外レール１６相互間には左側部に位置して発射通路１８が形成されている。この発射通路１８は下端部および上端部のそれぞれが開口する円弧状をなすものであり、打球槌が叩いた遊技球は発射通路１８内に下端部から進入し、発射通路１８に沿って円弧状の軌跡を描きながら上昇した後に発射通路１８の上端部から放出される。
【００１２】
前枠６には、図１に示すように、円形状の貫通孔１９が形成されている。この貫通孔１９の内周面には透明な窓２０が固定されており、窓２０は前枠６の閉鎖状態で遊技盤１４の遊技領域２１を前方から視覚的に認識可能に覆っている。この遊技領域２１は、図２に示すように、内レール１５と外レール１６と球止め部材１７によって囲まれた領域のうち発射通路１８を除く円形状の部分を称するものであり、発射通路１８の上端部から放出された遊技球が転動可能な最大範囲に相当する。この遊技領域２１内には複数の障害釘が固定されており、発射通路１８の上端部から遊技領域２１内に放出された遊技球は障害釘に当りながら遊技領域２１内を転動する。
【００１３】
遊技盤１４には、図２に示すように、遊技領域２１内に位置して複数の入賞口２２が固定されている。これら複数の入賞口２２のそれぞれは上面が開口するポケット状をなすものであり、遊技領域２１内を転動する遊技球は複数の入賞口２２内のそれぞれに上面から入賞可能にされている。これら複数の入賞口２２内のそれぞれには入賞口センサ２３が装着されている。これら複数の入賞口センサ２３のそれぞれは遊技球が入賞口２２内に入賞したことを検出して入賞信号を出力する近接スイッチからなるものであり、複数の入賞口センサ２３のそれぞれは共通の賞球制御回路に接続されている。この賞球制御回路はマイクロコンピュータを主体に構成されたものであり、入賞信号を検出することに基づいて遊技球が入賞口２２内に入賞したことを判断する。
【００１４】
内枠２には、図３に示すように、内枠２の後方に位置してメインセット２４が装着されている。このメインセット２４は開口部２５を有する枠状をなすものであり、メインセット２４には開口部２５の下方に位置して基板ボックス２６が固定されている。この基板ボックス２６内にはプリント配線基板が収納されており、賞球制御回路は基板ボックス２６内のプリント配線基板に搭載されている。
【００１５】
メインセット２４には、図３に示すように、メインセット２４の後方に位置して球タンク２７が固定されている。この球タンク２７はメインセット２４の上端部に配置されたものであり、上面が開口する容器状をなしている。この球タンク２７は台島の球補給装置から遊技球が補給されるものであり、球補給装置から球タンク２７内に補給された遊技球は遊技者に払出す賞品として球タンク２７内に貯留される。この球タンク２７は右から左へ向けて下降する傾斜状の底板２８を有するものであり、球補給装置から球タンク２７内に補給された遊技球は球タンク２７の底板２８の傾斜に沿って右から左へ転がる。
【００１６】
球タンク２７の底板２８には、図３に示すように、球ガイド２９が固定されている。この球ガイド２９は球タンク２７の底板２８から上方へ突出するものであり、図４に示すように、直状部３０および湾曲部３１を有している。直状部３０は上面視が左右方向へ直線的に延びる鉛直面を称するものであり、球ガイド２９の直状部３０および球タンク２７の後板相互間には左右方向へ直線的に延びるレール部３２が形成されている。湾曲部３１は球タンク２７の底板２８に沿って右から左へ転がる遊技球をレール部３２内に誘導するものであり、上面視が直状部３０に対して湾曲する鉛直面を称している。
【００１７】
球タンク２７の底板２８には、図４に示すように、レール部３２内に位置して垂直な仕切板３３が固定されている。この仕切板３３は導電性の金属からなるものであり、レール部３２内を前球通路３４および後球通路３５に区画している。これら前球通路３４および後球通路３５のそれぞれは左右方向へ直線的に延びるものであり、前後方向に相互に平行に配置されている。これら前球通路３４の前後方向の幅寸法および後球通路３５の前後方向の幅寸法のそれぞれは１個の遊技球が転動可能な大きさに設定されており、レール部３２は遊技球が仕切板３３に接触しながら前後方向に２列に転動可能にされている。
【００１８】
メインセット２４には、図３に示すように、球タンク２７より低所に位置して本体ケース４０が装着されている。この本体ケース４０は左右方向の幅寸法が前後方向の幅寸法に比べて小さな縦長なものであり、メインセット２４の左端部に着脱可能にネジ止めされている。この本体ケース４０は、図５に示すように、左ケース４１および右ケース４２を相互に組合せることから構成されたものであり、左ケース４１および右ケース４２のそれぞれは透明な合成樹脂を材料に形成されている。左ケース４１は右側面が開口するものであり、右ケース４２は左側面が開口するものであり、左ケース４１の右側面は右方から右ケース４２によって塞がれ、右ケース４２の左側面は左方から左ケース４１によって塞がれている。
【００１９】
左ケース４１は、図１０に示すように、左側板と前板と後板を有するものであり、左ケース４１の左側板には複数のネジ収納部４３が形成されている。これら複数のネジ収納部４３のそれぞれは、図１１に示すように、左ケース４１の内部に配置されたものであり、右端部に底板を有する円筒状をなしている。これら複数のネジ収納部４３のそれぞれの底板には貫通孔４４が形成されている。これら複数の貫通孔４４内のそれぞれには左方からネジが挿入されており、複数のネジのそれぞれの頭部はネジ収納部４３内に収納されている。
【００２０】
右ケース４２は右側板と前板と後板を有するものであり、右ケース４２の右側板には、図１２に示すように、右ケース４２の内部に位置して円筒状をなす複数のボス部４５が形成されている。これら複数のボス部４５のそれぞれの内周面には左方からネジ収納部４３内のネジが螺合されており、左ケース４１および右ケース４２相互間は複数のネジの締結力で相互に接合され、複数のネジのそれぞれをボス部４５の内周面から取外すことに基づいて相互に分解される。
【００２１】
左ケース４１の左側板には、図７に示すように、ギア室４６が形成されている。このギア室４６は左側面が開口する凹状をなすものであり、左ケース４１の上下方向の中央部に配置されている。右ケース４２の右側板にはモータ室４７が形成されている。このモータ室４７は右側面が開口する凹状をなすものであり、右ケース４２の上下方向の中央部に配置されている。これらモータ室４７およびギア室４６は左右方向に相互に対向配置されたものであり、モータ室４７の底板およびギア室４６の底板相互間には隙間状のスプロケット室が形成されている。
【００２２】
右ケース４２には、図９に示すように、モータ室４７の底板に位置してスペーサ４８が形成されている。このスペーサ４８は左端面および右端面のそれぞれが開口する円筒状をなすものであり、モータ室４７の底板にはスペーサ４８の内部に位置して円形状の右軸挿入孔が形成されている。このモータ室４７の底板にはスペーサ４８を介して賞球モータ４９がネジ止めされている。この賞球モータ４９はステッピングモータからなるものであり、スペーサ４８は賞球モータ４９およびモータ室４７の底板相互間に隙間を確保している。この賞球モータ４９は左方方向へ水平に延びる回転軸を有するものであり、賞球モータ４９の回転軸の左端部には主動ギア５０が回転不能に固定されている。この主動ギア５０の直径寸法はスペーサ４８の内径寸法および右軸挿入孔の内径寸法のそれぞれに比べて小さく設定されており、賞球モータ４９の回転軸は主動ギア５０と共に右方からスペーサ４８内および右軸挿入孔内のそれぞれに挿入され、円形状の左軸挿入孔５１を通して左ケース４１のギア室４６内に左ケース４１の左側面から突出しないように収納されている。この左軸挿入孔５１はギア室４６の底板に形成されたものであり、左軸挿入孔５１の内径寸法は主動ギア５０の直径寸法に比べて大きく設定されている。
【００２３】
左ケース４１には、図９に示すように、ギア室４６の底板に位置して円形状のギア軸挿入孔５２が形成されている。このギア軸挿入孔５２は左軸挿入孔５１の下方に配置されたものであり、ギア軸挿入孔５２内には左方からギアシャフト５３が挿入されている。このギアシャフト５３はギア軸挿入孔５２に比べて直径寸法が小さな円柱状をなすものであり、ギアシャフト５３の左端部には減速ギア５４が回転不能に固定されている。この減速ギア５４はギア軸挿入孔５２に比べて直径寸法が大きく設定されたものであり、図１０に示すように、ギア室４６内に左ケース４１の左側面から突出しないように収納されている。この減速ギア５４は、図７に示すように、ギア室４６内で賞球モータ４９の主動ギア５０に噛合されている。この減速ギア５４は主動ギア５０に比べて直径寸法が大きなものであり、賞球モータ４９の回転軸が回転することに基づいて主動ギア５０と反対方向へ主動ギア５０に比べて低速度で回転する。
【００２４】
右ケース４２には、図９に示すように、モータ室４７の底板に位置してギア軸受部５５が形成されている。このギア軸受部５５は左端面および右端面のそれぞれが開口する円筒状をなすものであり、左ケース４１のギア軸挿入孔５２に右方から対向配置されている。このギア軸受部５５の内周面には左方からギアシャフト５３が回転可能に挿入されており、ギアシャフト５３の右端部はギア軸受部５５によって回転可能に支持されている。
【００２５】
左ケース４１には、図９に示すように、ギア室４６の底板に位置して円形状の右スプロケット挿入孔５６が形成されている。この右スプロケット挿入孔５６はギア軸挿入孔５２の下方に配置されたものであり、右スプロケット挿入孔５６内には左方から右スプロケットシャフト５７が挿入されている。この右スプロケットシャフト５７は右スプロケット挿入孔５６に比べて直径寸法が小さな円柱状をなすものであり、右スプロケットシャフト５７の左端部には右従動ギア５８が回転不能に固定されている。この右従動ギア５８は右スプロケット挿入孔５６に比べて直径寸法が大きく設定されたものであり、図１０に示すように、ギア室４６内に左ケース４１の左側面から突出しないように収納されている。この右従動ギア５８は、図７に示すように、ギア室４６内で減速ギア５４に噛合されている。この右従動ギア５８は減速ギア５４に対して直径寸法および歯数のそれぞれが同一なものであり、賞球モータ４９の回転軸が回転することに基づいて減速ギア５４と反対方向へ減速ギア５４と同一速度で回転する。
【００２６】
右ケース４２には、図９に示すように、モータ室４７の底板に位置して右スプロケット軸受部５９が形成されている。この右スプロケット軸受部５９は右端面が閉鎖された有底な円筒状をなすものであり、左ケース４１の右スプロケット挿入孔５６に右方から対向配置されている。この右スプロケット軸受部５９の内周面には左方から右スプロケットシャフト５７の右端部が回転可能に挿入されており、右スプロケットシャフト５７の右端部は右スプロケット軸受部５９によって回転可能に支持されている。
【００２７】
右従動ギア５８には、図９に示すように、右スプロケット６０が固定されている。この右スプロケット６０は、図１０に示すように、右スプロケットシャフト５７を中心とする３個の球受け部６１を有するものであり、円周方向に隣接する球受け部６１相互間のピッチは一定の１２０度に設定されている。これら３個の球受け部６１のそれぞれは１個の遊技球を受けるものであり、外周面が開口する凹状をなしている。この右スプロケット６０は右スプロケット挿入孔５６に比べて直径寸法が小さく設定されたものであり、左方から右スプロケット挿入孔５６を通してギア室４６の底板およびモータ室４７の底板相互間のスプロケット室内に挿入されている。この右スプロケット６０は右従動ギア５８に対して同心なものであり、賞球モータ４９の回転軸が回転することに基づいて右従動ギア５８と一体的に回転する。
【００２８】
左ケース４１には、図９に示すように、ギア室４６の底板に位置して円形状の左スプロケット挿入孔６２が形成されている。この左スプロケット挿入孔６２は右スプロケット挿入孔５６の下方に配置されたものであり、左スプロケット挿入孔６２内には左方から左スプロケットシャフト６３が挿入されている。この左スプロケットシャフト６３は左スプロケット挿入孔６２に比べて直径寸法が小さな円柱状をなすものであり、左スプロケットシャフト６３の左端部には左従動ギア６４が回転不能に固定されている。この左従動ギア６４は左スプロケット挿入孔６２に比べて直径寸法が大きく設定されたものであり、図１０に示すように、ギア室４６内に左ケース４１の左側面から突出しないように収納されている。この左従動ギア６４は、図７に示すように、ギア室４６内で右従動ギア５８に噛合されている。この左従動ギア６４は右従動ギア５８に対して直径寸法および歯数のそれぞれが同一なものであり、賞球モータ４９の回転軸が回転することに基づいて右従動ギア５８と反対方向へ右従動ギア５８と同一速度で回転する。
【００２９】
右ケース４２には、図９に示すように、モータ室４７の底板に位置して左スプロケット軸受部６５が形成されている。この左スプロケット軸受部６５は右端面が閉鎖された有底な円筒状をなすものであり、左ケース４１の左スプロケット挿入孔６２に右方から対向配置されている。この左スプロケット軸受部６５の内周面には左方から左スプロケットシャフト６３の右端部が回転可能に挿入されており、左スプロケットシャフト６３の右端部は左スプロケット軸受部６５によって回転可能に支持されている。
【００３０】
左従動ギア６４には、図９に示すように、左スプロケット６６が固定されている。この左スプロケット６６は、図１０に示すように、左スプロケットシャフト６３を中心とする３個の球受け部６７を有するものであり、円周方向に隣接する球受け部６７相互間のピッチは一定の１２０度に設定されている。これら３個の球受け部６７のそれぞれは１個の遊技球を受けるものであり、外周面が開口する凹状をなしている。この左スプロケット６６は左スプロケット挿入孔６２に比べて直径寸法が小さく設定されたものであり、左方から左スプロケット挿入孔６２を通してギア室４６の底板およびモータ室４７の底板相互間のスプロケット室内に挿入されている。この左スプロケット６６は左従動ギア６４に対して同心なものであり、賞球モータ４９の回転軸が回転することに基づいて左従動ギア６４と一体的に回転する。
【００３１】
右従動ギア５８の左側面には、図７に示すように、直線状の右マーク６８が形成され、左従動ギア６４の左側面には右マーク６８に比べて短尺な直線状の左マーク６９が形成されている。右マーク６８は右スプロケット６０の右従動ギア５４に対する角度を特定するものであり、左マーク６９は左スプロケット６６の左従動ギア６４に対する角度を特定するものであり、右従動ギア５４の右スプロケットシャフト５７は右マーク６８および下マーク６９が相互に一直線状となるように右スプロケット軸受部５９の内周面に挿入され、左従動ギア６４の左スプロケットシャフト６３は右マーク６８および左マーク６９が相互に一直線状となるように左スプロケット軸受部６５の内周面に挿入されている。これら右従動ギア５８および左従動ギア６４が相互に位置合せされた状態では、図１０に示すように、右スプロケット６０の機械的な位相角および左スプロケット６６の機械的な位相角相互間が円周方向に６０°だけずれ、右スプロケット６０の複数の歯部のそれぞれが左スプロケット６６の球受け部６７の円周方向の中心部に配置される。これら複数の歯部のそれぞれは球受け部６１相互間の仕切り部分を称している。
【００３２】
左ケース４１には、図７に示すように、ギア室４６の底板に位置して複数のボス部７０が形成されている。これら複数のボス部７０のそれぞれは左端面が開口する円筒状をなすものであり、複数のボス部７０のそれぞれの外周面には円筒状をなすホルダ部７１の内周面が嵌合されている。これら複数のホルダ部７１のそれぞれは、図９に示すように、ギアカバー７２に形成されたものであり、ギアカバー７２は複数のホルダ部７１のそれぞれがボス部７０に係合することに基づいてギア室４６内の目標位置に位置決めされている。  これら複数のボス部７０のそれぞれの内周面には、図５に示すように、左方から左カバー７３を通してネジが螺合されている。この左カバー７３はギア室４６の左側面を覆う板状をなすものであり、左カバー７３は複数のネジの締結力で左ケース４１に着脱可能に装着され、ギアカバー７２は左方から左カバー７２によって押さえられることに基づいてギア室４６内に固定されている。
【００３３】
ギアカバー７２は、図９に示すように、主動ギア５０と減速ギア５４と右従動ギア５８と左従動ギア６４のそれぞれを左方から覆うものであり、ギア室４６内に左ケース４１の左側面から突出しないように装着されている。このギアカバー７２には減速ギア軸受部７４と右従動ギア軸受部７５と左従動ギア軸受部７６のそれぞれが形成されている。これら減速ギア軸受部７４と右従動ギア軸受部７５と左従動ギア軸受部７６のそれぞれは右端面が開口する円筒状をなすものであり、ギアシャフト５３の左端部は減速ギア軸受部７４の内周面に回転可能に挿入され、右スプロケットシャフト５７の左端部は右従動ギア軸受部７５の内周面に回転可能に挿入され、左スプロケットシャフト６３の左端部は左従動ギア軸受部７６の内周面に回転可能に挿入されている。
【００３４】
ギアカバー７２は複数のネジのそれぞれをボス部７０の内周面から取外すことに基づいて左カバー７３と共に左ケース４１から取外されるものであり、ギアカバー７２の取外し状態では減速ギア５４のギアシャフト５３が左方からギア軸挿入孔５２を通してギア軸受部５５に対して着脱可能になり、右従動ギア５８の右スプロケットシャフト５７が左方から右スプロケット軸挿入孔５６を通して右スプロケット軸受部５９に対して着脱可能になり、左従動ギア６４の左スプロケットシャフト６３が左方から左スプロケット軸挿入孔６２を通して左スプロケット軸受部６５に対して着脱可能になる。
【００３５】
右ケース４２には、図７に示すように、モータ室４７内に位置して複数のボス部７７が形成されている。これら複数のボス部７７のそれぞれは右端面が開口する円筒状をなすものであり、複数のボス部７７のそれぞれの内周面には、図５に示すように、右方から右カバー７８を通してネジが螺合されている。この右カバー７８は複数のネジのそれぞれをボス部７７の内周面から取外すことに基づいて右ケース４２から取外されるものであり、右ケース４２に着脱可能に装着されている。この右カバー７８はモータ室４７の右側面を覆う板状をなすものであり、右カバー７８には円形孔状の放熱窓部７９が形成されている。この放熱窓部７９は賞球モータ４９で発生する熱をモータ室４７の外部に放出するものであり、賞球モータ４９に右方から対向配置されている。
【００３６】
本体ケース４０の内部には、図１２に示すように、左球供給路８０が形成されている。この左球供給路８０は前壁と後壁と左側壁のそれぞれを有する断面コ字形の通路状をなすものであり、１個の遊技球が転動可能な大きさに設定されている。この左球供給路８０の上端部の入口８１は球タンク２７の後球通路３５の出口に接続されており、左球供給路８０内には球タンク２７の前球通路３４を通して遊技球が一列に充填されている。この左球供給路８０は球タンク２７の後球通路３５内に充填された遊技球を左スプロケット６６の球受け部６７内に落下させるものであり、左球供給路８０の下端部の出口８２は遊技球が左球供給路８０の出口８２から左スプロケット６６の球受け部６７内に落下するようにスプロケット室内で左スプロケット６６に向けて開口している。
【００３７】
本体ケース４０の内部には、図１２に示すように、右球供給路８３が形成されている。この右球供給路８３は前壁と後壁と右側壁のそれぞれを有する断面コ字形の通路状をなすものであり、１個の遊技球が転動可能な大きさに設定されている。この右球供給路８３の上端部の入口８４は球タンク２７の前球通路３４の出口に接続されており、右球供給路８３内には球タンク２７の前球通路３４を通して遊技球が一列に充填されている。この右球供給路８３は球タンク２７の前球通路３４内に充填された遊技球を右スプロケット６０の球受け部６１に落下させるものであり、右球供給路８３の下端部の出口８５は遊技球が右球供給路８３の出口８５から右スプロケット６０の球受け部６１内に落下するようにスプロケット室内で右スプロケット６０に向けて開口している。
【００３８】
右従動ギア５８の右マーク６８および左従動ギア６４の左マーク６９のそれぞれは、図１２に示すように、左スプロケット６６の球受け部６７が左球供給路８０の出口８２に対向する初期位置に左従動ギア６４を位置合せし、右スプロケット６０の球受け部６１が右球供給路８３の出口８５に対向しない初期位置に右従動ギア５８を位置合せするものであり、賞球モータ４９の運転停止状態では賞球モータ４９の磁気的な自己保持力で右従動ギア５８および左従動ギア６４のそれぞれが初期位置に保持されている。
【００３９】
右従動ギア５８の初期位置では右球供給路８３の出口８５から右スプロケット６０の球受け部６１内に遊技球が落下せず、右スプロケット６０が初期位置から単位角度Δθ°（６０°）だけ回転することに基づいて右球供給路８３の出口８５から右スプロケット６０の球受け部６１内に遊技球が落下する。この遊技球は右スプロケット６０が初期位置から３Δθ°だけ回転することに基づいて右スプロケット６０の球受け部６１から落下し、右スプロケット６０の球受け部６１から遊技球が落下したときには右スプロケット６０の次の球受け部６１が右球供給路８３の出口８５に対向することに基づいて右球供給路８３の出口８５から右スプロケット６０の次の球受け部６１内に遊技球が新たに落下する。
【００４０】
左従動ギア６４の初期位置では左球供給路８０の出口８２から左スプロケット６６の球受け部６７内に遊技球が落下しており、左スプロケット６６が初期位置からΔθ°だけ回転したときには左スプロケット６６の球受け部６７内から遊技球が落下せず、左球供給路８０の出口８２から左スプロケット６６の球受け部６７内に遊技球が落下しない。この左スプロケット６６が初期位置から２Δθ°だけ回転したときには左スプロケット６６の球受け部６７内から遊技球が落下し、左スプロケット６６の次の球受け部６７が左球供給路８０の出口８２に対向することに基づいて左球供給路８０の出口８２から左スプロケット６６の次の球受け部６７内に遊技球が新たに落下する。即ち、右スプロケット６０は特定の位相角Δθ°と３Δθ°と５Δθ°のそれぞれで１個の遊技球を放出するものであり、左スプロケット６６は右スプロケット６０とは異なる特定の位相角０°と２Δθ°と４Δθ°のそれぞれで１個の遊技球を放出するものである。これら左スプロケット６６と右スプロケット６０と賞球モータ４９は遊技球を左球供給路８０および右球供給路８３のそれぞれから放出する払出機構を構成するものである。
【００４１】
左球供給路８０および右球供給路８３のそれぞれには、図１３の（ａ）に示すように、並行通路部８６が設定されている。これら左球供給路８０の並行通路部８６および右球供給路８３の並行通路部８６は相互に同一形状に設定されたものであり、左右方向に相互に対向配置されている。左球供給路８０の並行通路部８６は、図９に示すように、左ケース４１の内部にギア室４６の底板より高所に位置して区画形成されたものであり、右球供給路８３の並行通路部８６は右ケース４２の内部にモータ室４７の底板より高所に位置して区画形成されたものであり、左球供給路８０の並行通路部８６および右球供給路８３の並行通路部８６のそれぞれは、図１２に示すように、第１の並行部８７と第２の並行部８８と第３の並行部８９と第４の並行部９０を有している。両第１の並行部８７および両第３の並行部８９のそれぞれは上下方向へ延びる直線状の部分を称するものであり、両第２の並行部８８のそれぞれは第１の並行部８７の下端部および第３の並行部８９の上端部相互間を接続する傾斜状の部分を称し、両第４の並行部９０のそれぞれは第３の並行部８９の下端部から後方へ延びる傾斜状の部分を称している。
【００４２】
本体ケース４０の内部には、図１３の（ａ）に示すように、樹脂仕切板９１が収納されている。この樹脂仕切板９１は非導電性の合成樹脂からなるものであり、左右方向の厚さ寸法が一定な平板状をなしている。この樹脂仕切板９１は左ケース４１および右ケース４２相互間で挟持されたものであり、左球供給路８０の並行通路部８６のうち第１の並行部８７と第２の並行部８８と第３の並行部８９のそれぞれの右側面は樹脂仕切板９１によって塞がれ、右球供給路８３の並行通路部８６のうち第１の並行部８７と第２の並行部８８と第３の並行部８９のそれぞれの左側面は樹脂仕切板９１によって塞がれている。この樹脂仕切板９１には、図９に示すように、複数の位置決め孔９２が形成されており、複数の位置決め孔９２内のそれぞれには左ケース４１のネジ収納部４３を通してネジが挿入されている。これら複数のネジのそれぞれは右ケース４２のボス部４５に螺合されたものであり、樹脂仕切板９１は左ケース４１および右ケース４２を相互に接合するネジが貫通することに基づいて左ケース４１の目標位置および右ケース４２の目標位置のそれぞれに位置決めされている。
【００４３】
本体ケース４０の内部には、図９に示すように、アース仕切板９３が収納されている。このアース仕切板９３は導電性の金属を材料とするものであり、樹脂仕切板９１の下方に配置されている。このアース仕切板９３は左右方向の厚さ寸法が一定な平板状をなすものであり、アース仕切板９３の左右方向の厚さ寸法および樹脂仕切板９１の左右方向の厚さ寸法は相互に同一に設定されている。このアース仕切板９３は左ケース４１および右ケース４２相互間で挟持されたものであり、図１０に示すように、位置決め板９４に上方から接触している。この位置決め板９４は左ケース４１の左側板に形成されたものであり、アース仕切板９３は上方から位置決め板９４に接触することに基づいて左ケース４１の目標位置に位置決めされている。
【００４４】
アース仕切板９３は左球供給路８０の並行通路部８６のうち第４の並行部９０の右側面および右球供給路８３の並行通路部８６のうち第４の並行部９０の左側面のそれぞれを塞ぐものである。このアース仕切板９３は配線を介してアース接続されており、遊技球は左球供給路８０の第４の並行部９０および右球供給路８３の第４の並行部９０のそれぞれを通過するときに共通のアース仕切板９３に接触する。このアース仕切板９３は樹脂仕切板９１と共に上仕切部材９５（図９参照）を構成するものであり、上仕切部材９５は厚さ寸法が一定な平板状をなしている。
【００４５】
本体ケース４０の内部には、図９に示すように、非導電性の合成樹脂からなる下仕切板９６が収納されている。この下仕切板９６は左スプロケット６６および右スプロケット６０のそれぞれより低所に配置されたものであり、左ケース４１および右ケース４２相互間で挟持されている。この下仕切板９６には複数の位置決め孔９７が形成されており、複数の位置決め孔９７内のそれぞれには左ケース４１のネジ収納部４３を通してネジが挿入されている。これら複数のネジのそれぞれは右ケース４２のボス部４５に螺合されたものであり、下仕切板９６は左ケース４１および右ケース４２を相互に接合するネジが貫通することに基づいて左ケース４１の目標位置および右ケース４２の目標位置のそれぞれに位置決めされている。
【００４６】
左ケース４１の内部には、図９に示すように、左球放出路９８が形成されている。この左球放出路９８は左側壁と前壁と後壁を有する断面コ字形の通路状をなすものであり、左球放出路９８の右側面は下仕切板９６によって塞がれている。この左球放出路９８は１個の遊技球が転動可能な大きさに設定されたものであり、左球放出路９８の上端部の入口は左スプロケット６６の球受け部６７内から落下する遊技球が進入するように左スプロケット６６に向けて開口している。右ケース４２の内部には、図１２に示すように、右球放出路９９が形成されている。この右球放出路９９は右側壁と前壁と後壁を有する断面コ字形の通路状をなすものであり、右球放出路９９の左側面は下仕切板９６によって塞がれている。この右球放出路９９は１個の遊技球が転動可能な大きさに設定されたものであり、右球放出路９９の上端部の入口は右スプロケット６０の球受け部６１内から落下する遊技球が進入するように右スプロケット６０に向けて開口している
左ケース４１の内部には、図９に示すように、左球放出路９８の下方に位置して左球貯留室１００が形成されている。この左球貯留室１００は右側面が開口する空間状をなすものであり、左球貯留室１００の右側面は下仕切板９６によって塞がれている。この左球貯留室１００は複数個の遊技球が前後方向に同時に並ぶことが可能なものであり、左球放出路９８の下端部の出口は左球貯留室１００に接続されている。右ケース４２の内部には、図１２に示すように、右球放出路９９の下方に位置して右球貯留室１０１が形成されており、右球放出路９９の下端部の出口は右球貯留室１０１に接続されている。この右球貯留室１０１は左側面が開口する空間状をなすものであり、右球貯留室１０１の左側面は下仕切板９６によって塞がれている。この右球貯留室１０１は左球貯留室１００に対して同一形状に設定されたものであり、右球貯留室１０１および左球貯留室１００相互間は下仕切板９６を介して左右方向に対向配置されている。
【００４７】
左ケース４１の左側板には、図９に示すように、左球貯留室１００の内部に位置して左区画部材１０２が形成されている。この左区画部材１０２は左球貯留室１００の内部に左上皿誘導路１０３および左下皿誘導路１０４を区画形成するものであり、左区画部材１０２の上端部には下から上へ向けて前後方向の幅寸法が小さくなる傾斜状の左誘導部１０５が形成されている。これら左上皿誘導路１０３および左下皿誘導路１０４のそれぞれは右側面が開口する通路状をなすものであり、左上皿誘導路１０３の右側面および左下皿誘導路１０４の右側面のそれぞれは下仕切板９６によって塞がれている。
【００４８】
左上皿誘導路１０３の上端部の入口は、図９に示すように、左球放出路９８の出口の鉛直下方に配置されており、左球放出路９８の出口から放出された遊技球は左球貯留室１００内を通過して左上皿誘導路１０３の入口に進入する。この左上皿誘導路１０３の下端部の出口は左ケース４１の下端部で前方に向けて開口しており、左上皿誘導路１０３の入口に進入した遊技球は左上皿誘導路１０３の出口から前方に向けて排出される。この左上皿誘導路１０３の出口は上皿７の上払出口９に接続されており、左上皿誘導路１０３の出口から排出された遊技球は上払出口９を通して上皿７内に払出される。この左上皿誘導路１０３の幅寸法は１個の遊技球が転動可能な大きさに設定されており、左上皿誘導路１０３の出口から上皿７内には遊技球が１列に払出される。
【００４９】
左下皿誘導路１０４の上端部の入口は、図９に示すように、左球放出路９８の鉛直下方とは異なる部分に配置されており、遊技球が上皿７内および左上皿誘導路１０３内のそれぞれに満杯に貯留されることに基づいて左上皿誘導路１０３の入口が閉鎖された球詰り状態では左球放出路９８の出口から放出された遊技球が左下皿誘導路１０４の入口に進入する。この左下皿誘導路１０４の出口は左ケース４１の下端部で前方に向けて開口しており、左下皿誘導路１０４の入口に進入した遊技球は左下皿誘導路１０４の出口から前方に向けて排出される。この左下皿誘導路１０４の上下方向の幅寸法は２個の遊技球が同時に並んで転動可能な大きさに設定されており、遊技球は左下皿誘導路１０４の出口から上下方向に２列に排出可能にされている。
【００５０】
右ケース４２の内部には、図１２に示すように、右球貯留室１０１の内部に位置して右区画部材１０６が形成されている。この右区画部材１０６は左区画部材１０２に対して同一形状をなすものであり、右区画部材１０６および左区画部材１０２相互間は下仕切板９６を挟んで左右方向に相互に対向配置されている。この右区画部材１０６は右球貯留室１０１の内部に右上皿誘導路１０７および右下皿誘導路１０８を区画形成するものであり、右区画部材１０６の上端部には下から上へ向けて前後方向の幅寸法が小さくなる傾斜状の右誘導部１０９が形成されている。これら右上皿誘導路１０７および右下皿誘導路１０８のそれぞれは左側面が開口する通路状をなすものであり、右上皿誘導路１０７の左側面および右下皿誘導路１０８の左側面のそれぞれは下仕切板９６によって塞がれている。右上皿誘導路１０７は左上皿誘導路１０３に対して同一形状をなすものであり、右上皿誘導路１０７および左上皿誘導路１０３相互間は、図１４に示すように、下仕切板９６を挟んで左右方向に対向配置されている。右下皿誘導路１０８は左下皿誘導路１０４に対して同一形状をなすものであり、右下皿誘導路１０８および左下皿誘導路１０４相互間は下仕切板９６を挟んで左右方向に対向配置されている。
【００５１】
右上皿誘導路１０７の上端部の入口は、図１２に示すように、右球放出路９９の出口の鉛直下方に配置されており、右球放出路９９の出口から放出された遊技球は右球貯留室１０１内を通過して右上皿誘導路１０７の入口に進入する。この右上皿誘導路１０７の下端部の出口は右ケース４２の下端部で前方に向けて開口しており、右上皿誘導路１０７の入口に進入した遊技球は右上皿誘導路１０７の出口から前方に向けて排出される。この右上皿誘導路１０７の出口は上皿７の上払出口９に左上皿誘導路１０３の右方で隣接して接続されており、右上皿誘導路１０７の出口から排出された遊技球は上払出口９を通して上皿７内に払出される。この右上皿誘導路１０７の幅寸法は１個の遊技球が転動可能な大きさに設定されており、右上皿誘導路１０７の出口から上皿７内には遊技球が１列に払出される。
【００５２】
右下皿誘導路１０８の上端部の入口は、図１２に示すように、右球放出路９９の鉛直下方とは異なる部分に配置されており、遊技球が上皿７内および右上皿誘導路１０７内のそれぞれに満杯に貯留されることに基づいて右上皿誘導路１０７の入口が閉鎖された球詰り状態では右球放出路９９の出口から放出された遊技球が右下皿誘導路１０８の入口に進入する。この右下皿誘導路１０８の出口は右ケース４２の下端部で前方に向けて開口しており、右下皿誘導路１０８の入口に進入した遊技球は右下皿誘導路１０８の出口から前方に向けて排出される。この右下皿誘導路１０８の上下方向の幅寸法は２個の遊技球が同時に並んで転動可能な大きさに設定されており、遊技球は右下皿誘導路１０８の出口から上下方向に２列に排出可能にされている。
【００５３】
左ケース４１の左下皿誘導路１０４の出口および右ケース４２の右下皿誘導路１０８の出口のそれぞれは、図２に示すように、通路部材８の入口に接続されており、左下皿誘導路１０４の出口および右下皿誘導路１０８の出口のそれぞれから排出された遊技球は通路部材８の入口に進入する。この通路部材８には下払出口３６が形成されている。この下払出口３６は通路部材８の出口に相当するものであり、前面および後面のそれぞれが開口する筒状をなしている。この下払出口３６は下皿１１内に接続されており、通路部材８の入口に進入した遊技球は通路部材８内を転動した後に下払出口３６から下皿１１内に払出される。
【００５４】
本体ケース４０の内部には、図１２に示すように、球抜き路１１０が形成されている。この球抜き路１１０は左球供給路８０内および右球供給路８３内のそれぞれから本体ケース４０の外部に遊技球を抜取るためのものであり、球抜き路１１０の下端部の出口は左下皿誘導路１０４の出口および右下皿誘導路１０８の出口のそれぞれの下方で下向きに本体ケース４０の外部に開口し、球抜き路１１０の上端部の入口は左球供給路８０および右球供給路８３のそれぞれの球抜き口１１１に後方から対向配置されている。左球供給路８０の球抜き口１１１は左球供給路８０の第４の並行部９０の終端部に設定されたものであり、右球供給路８３の球抜き口１１１は右球供給路８３の第４の並行部９０の終端部に設定されたものであり、アース仕切板９３には、図９に示すように、左球供給路８０の球抜き口１１１および右球供給路８３の球抜き口１１１相互間に位置して円弧面状のストッパ部１１２が形成されている。
【００５５】
左ケース４１の左側板および右ケース４２の右側板のそれぞれには、図７に示すように、直線状の上スリット１１３が形成されている。これら両上スリット１１３のそれぞれは鉛直方向へ直線的に延びるものであり、左右方向に相互に対向配置されている。左ケース４１の左側板および右ケース４２の右側板のそれぞれには直線状の下スリット１１４が形成されている。これら両下スリット１１４のそれぞれは鉛直方向へ直線的に延びるものであり、左右方向に相互に対向配置されている。
【００５６】
左ケース４１の上スリット１１３内および右ケース４２の上スリット１１３内のそれぞれには、図９に示すように、球抜きレバー１１５の上ガイド１１６が挿入され、左ケース４１の下スリット１１４内および右ケース４２の下スリット１１４内のそれぞれには球抜きレバー１１５の下ガイド１１７が挿入されている。この球抜きレバー１１５は上下方向へ延びる板状をなすものであり、両上ガイド１１６のそれぞれが上スリット１１３の内面によって案内され且つ両下ガイド１１７のそれぞれが下スリット１１４の内面によって案内されることに基づいて鉛直方向へ直線的にスライド可能にされている。
【００５７】
球抜きレバー１１５は、図１０に示すように、球抜きレバー１１５に操作力が作用していない通常状態で自重で下降するものである。この球抜きレバー１１５は両上ガイド１１６のそれぞれが上スリット１１３の内面に下端部で接触し且つ両下ガイド１１７のそれぞれが下スリット１１４の内面に下端部で接触することに基づいて下降限度位置である閉鎖位置に保持されるものであり、球抜きレバー１１５の閉鎖位置では、図１２に実線で示すように、球抜きレバー１１５の下端部が球抜き路１１０の上端部の入口を閉鎖する。この球抜きレバー１１５は閉鎖位置から上方へ操作されるものである。この球抜きレバー１１５の上昇操作は両上ガイド１１６のそれぞれが上スリット１１３の内面に上端部で接触し且つ両下ガイド１１７のそれぞれが下スリット１１４の内面に上端部で接触する開放位置で停止するものであり、球抜きレバー１１５の開放位置では、図１２に二点鎖線で示すように、球抜きレバー１１５の下端部が球抜き路１１０の入口を開放する。
【００５８】
球抜きレバー１１５には、図９に示すように、シャッタ１１８が形成されている。このシャッタ１１８は球抜きレバー１１５から前方へ突出する部分を称するものであり、球抜きレバー１１５の閉鎖状態では、図１０に示すように、シャッタ１１８がアース仕切板９３のストッパ部１１２に接触し、図１２に示すように、左球供給路８０の球抜き口１１１および右球供給路８３の球抜き口１１１のそれぞれが共通のシャッタ１１８によって閉鎖され、球抜き路１１０の入口が球抜きレバー１１５によって閉鎖されることに基づいて左球供給路８０および右球供給路８３のそれぞれから球抜き路１１０の入口に球抜き口１１１を通して遊技球が進入することが２重に防止されている。
【００５９】
シャッタ１１８は球抜きレバー１１５が開放位置に操作されることに基づいて左球供給路８０の球抜き口１１１および右球供給路８３の球抜き口１１１のそれぞれを共通に開放するものであり、球抜きレバー１１５が開放位置に操作された状態では左球供給路８０内の遊技球が左球供給路８０の球抜き口１１１から球抜き路１１０の入口に進入し、右球供給路８３内の遊技球が右球供給路８３の球抜き口１１１から球抜き路１１０の入口に進入する。この球抜き路１１０の入口に進入した遊技球は球抜き路１１０に沿って転動し、球抜き路１１０の出口から本体ケース４０の外部に排出される。
【００６０】
球抜きレバー１１５には、図１０に示すように、操作子１１９が形成されている。この操作子１１９は球抜きレバー１１５から後方へ突出する水平な板状をなすものであり、本体ケース４０には操作子１１９の後方に位置して縦長な長方形状の操作窓１２０が形成されている。この操作窓１２０は本体ケース４０の後方から操作子１１９を手指で把持して球抜きレバー１１５を閉鎖位置から開放位置に移動操作するためのものであり、左ケース４１および右ケース４２のそれぞれに両者を相互に跨ぐように形成されている。
【００６１】
右ケース４２には、図７に示すように、左球検出スイッチ１２１および右球検出スイッチ１２２のそれぞれが固定されている。これら左球検出スイッチ１２１および右球検出スイッチ１２２のそれぞれはモータ室４７内に右ケース４２の右側面から突出しないように収納されたものであり、右カバー７８によって覆われている。これら左球検出スイッチ１２１および右球検出スイッチ１２２のそれぞれは反射形のフォトセンサからなるものであり、発光ダイオードおよびフォトトランジスタを有している。
【００６２】
左球検出スイッチ１２１の発光ダイオードは左球放出路９８の内部に赤外線を投射するものであり、左スプロケット６６の球受け部６７内から遊技球が落下したときには左球放出路９８の内部で左球検出スイッチ１２１の発光ダイオードから遊技球に赤外線が照射される。この赤外線は遊技球によって反射されることに基づいて左球検出スイッチ１２１のフォトトランジスタに入射し、左球検出スイッチ１２１は赤外線が自身のフォトトランジスタに入射することに基づいて左球検出信号を出力する。右球検出スイッチ１２２の発光ダイオードは右球放出路９９の内部に赤外線を投射するものであり、右スプロケット６０の球受け部６１内から遊技球が落下したときには右球放出路９９の内部で右球検出スイッチ１２２の発光ダイオードから遊技球に赤外線が照射される。この赤外線は遊技球によって反射されることに基づいて右球検出スイッチ１２２のフォトトランジスタに入射し、右球検出スイッチ１２２は赤外線が自身のフォトトランジスタに入射することに基づいて右球検出信号を出力する。
【００６３】
左ケース４１および右ケース４２のそれぞれには、図９に示すように、スイッチ収納部１２３が形成されている。これら両スイッチ収納部１２３のそれぞれは前面および後面の双方が開口するものであり、左右方向に相互に対向配置されている。樹脂仕切板９１には開口部１２４が形成されている。この開口部１２４は後面が開口するものであり、左ケース４１のスイッチ収納部１２３および右ケース４２のスイッチ収納部１２３相互間は樹脂仕切板９１の開口部１２４を介して接続されている。これら左ケース４１のスイッチ収納部１２３内と樹脂仕切板９１の開口部１２４内と右ケース４２のスイッチ収納部１２３内のそれぞれには後方から共通の球切れスイッチ１２５が挿入されている。この球切れスイッチ１２５は高周波型近接スイッチからなるものであり、図１０に示すように、爪部１２６に係合している。この爪部１２６は左ケース４１の左側板および右ケース４２の右側板のそれぞれに形成されたものであり、球切れスイッチ１２５は両爪部１２６のそれぞれに係合することに基づいて後方へ脱落することが防止されている。
【００６４】
球切れスイッチ１２５は、図９に示すように、左検出ヘッド１２７および右検出ヘッド１２８を有している。これら左検出ヘッド１２７および右検出ヘッド１２８のそれぞれは１個の遊技球が通過可能な筒状をなすものであり、左検出ヘッド１２７は左球供給路８０の第１の並列部８７内に挿入され、右検出ヘッド１２８は右球供給路８３の第１の並列部８７内に挿入されている。これら左検出ヘッド１２７および右検出ヘッド１２８のそれぞれは環状の検出コイルが収納されたものである。これら両検出コイルのそれぞれは内周部に遊技球が存在しない場合に通常に発振するものであり、内周部に遊技球が存在する場合には発振停止する。即ち、球切れスイッチ１２５は左球供給路８７内の遊技球の有無および右球供給路８３内の遊技球の有無のそれぞれを第１の並列部８７内で検出するものであり、左球供給路８０内に遊技球が存在しないことを検出することに基づいて左球切れ信号を出力し、右球供給路８３内に遊技球が存在しないことを検出することに基づいて右球切れ信号を出力する。
【００６５】
賞球モータ４９は賞球制御回路に接続されたものであり、賞球制御回路は予め決められた特定の入賞口センサ２３から入賞信号が出力されたことを検出したときには賞球モータ４９に駆動信号Ｐ１を出力し、特定の入賞口センサ２３を除く残りの入賞口センサ２３かから入賞信号が出力されたことを検出したときには賞球モータ４９に駆動信号Ｐ２を出力する。駆動信号Ｐ１は左スプロケット６６および右スプロケット６０のそれぞれを１５θ°（９００°）だけ回転させるものであり、左スプロケット６６および右スプロケット６０のそれぞれが１５θ°だけ回転したときには左スプロケット６６および右スプロケット６０から合計で１５個の遊技球が放出され、上皿７内または下皿１１内に１５個の遊技球が払出される。駆動信号Ｐ２は左スプロケット６６および右スプロケット６０のそれぞれをθ°（６０°）だけ回転させるものであり、左スプロケット６６および右スプロケット６０のそれぞれがθ°だけ回転したときには左スプロケット６６および右スプロケット６０から合計で１個の遊技球が放出され、上皿７内または下皿１１内に１個の遊技球が払出される。
【００６６】
上記実施例１によれば次の効果を奏する。
右スプロケット６０および左スプロケット６６のそれぞれが破損した場合には、下記（１）〜（７）に示すように、正常な賞球モータ４９を残して右スプロケット６０および左スプロケット６６のそれぞれを簡単に交換することができるので、正常な賞球モータ４９を交換する無駄がなくなる。
（１）左ケース４１の複数のボス部７０のそれぞれからネジを取外し、左カバー７３を左ケース４１から取外す。この左カバー７３の取外し状態ではギアカバー７２を押える部材がなくなるので、ギアカバー７２の複数のホルダ部７１のそれぞれをボス部７０の外周面から抜取り、ギアカバー７２を左ケース４１から取外す。このギアカバー７２の取外し状態では主動ギア５０と減速ギア５４と右従動ギア５８と左従動ギア６４のそれぞれが露出し、減速ギア５４と右従動ギア５８と左従動ギア６４のそれぞれを本体ケース４０の外部から把持することが可能になる。
（２）本体ケース４０の外部で右従動ギア５８を把持し、右従動ギア５８を左ケース４１の左側板から引離すように左方へ操作することで右スプロケット６０の右スプロケットシャフト５７を右ケース４２の右スプロケット軸受部５９内から抜取り、右スプロケット６０を右スプロケットシャフト５７と共に本体ケース４０の内部から左ケース４１の右スプロケット挿入孔５６を通して本体ケース４０の外部に抜取る。
（３）本体ケース４０の外部で左従動ギア６４を把持し、左従動ギア６４を左ケース４１の左側板から引離すように左方へ操作することで左スプロケット６６の左スプロケットシャフト６３を右ケース４２の左スプロケット軸受部６５内から抜取り、左スプロケット６６を左スプロケットシャフト６３と共に本体ケース４０の内部から左ケース４１の左スプロケット挿入孔６２を通して本体ケース４０の外部に抜取る。
（４）新たな右スプロケット６０の右従動ギア５８を把持し、新たな右スプロケット６０を右スプロケットシャフト５７と共に本体ケース４０の内部に左ケース４１の右スプロケット挿入孔５６から挿入することで右スプロケットシャフト５７を右ケース４２の右スプロケット軸受部５９内に挿入し、新たな右スプロケット６０を右スプロケットシャフト５７と共に本体ケース４０の内部に収納する。
（５）新たな左スプロケット６６の左従動ギア６４を把持し、新たな左スプロケット６６を左スプロケットシャフト６３と共に本体ケース４０の内部に左ケース４１の左スプロケット挿入孔６２から挿入することで左スプロケットシャフト６３を右ケース４２の左スプロケット軸受部６５内に挿入し、新たな左スプロケット６６を左スプロケットシャフト６３と共に本体ケース４０の内部に収納する。
（６）左ケース４１の複数のボス部７０のそれぞれの外周面にギアカバー７２のホルダ部７１を嵌合し、右スプロケットシャフト５７の左端部をギアカバー７２の右従動ギア軸受部７５内に挿入することで右スプロケットシャフト５７の左端部をギアカバー７２によって回転可能に支持し、左スプロケットシャフト６３の左端部をギアカバー７２の左従動ギア軸受部７６内に挿入することで左スプロケットシャフト６３の左端部をギアカバー７２によって回転可能に支持する。
（７）左ケース４１の複数のボス部７０内のそれぞれに左カバー７３を通してネジを螺合し、左カバー７３を左ケース４１に装着することでギアカバー７２を左カバー７３によって押える。
【００６７】
賞球モータ４９が故障した場合には、下記（１１）〜（１４）に示すように、正常な左スプロケット６６および正常な右スプロケット６０のそれぞれを残して賞球モータ４９を簡単に交換することができるので、正常な左スプロケット６６および正常な右スプロケット６０のそれぞれを交換する無駄がなくなる。
（１１）右ケース４２の複数のボス部７７のそれぞれからネジを取外し、右カバー７８を右ケース４２から取外す。
（１２）賞球モータ４９からネジを取外し、本体ケース４０の外部で賞球モータ４９を把持する。この賞球モータ４９を右ケース４２の右側板から右方へ引離すように操作することで賞球モータ４９の主動ギア５０を回転軸と共に左ケース４１の左軸挿入孔５１と右ケース４２の右軸挿入孔と右ケース４２のスペーサ４８のそれぞれを順に通して本体ケース４０の外部に抜取る。
（１３）新たな賞球モータ４９の主動ギア５０を回転軸と共に右ケース４２のスペーサ４８および右ケース４２の右軸挿入孔のそれぞれを順に通して本体ケース４０の内部に挿入し、左ケース４１の左軸挿入孔５１を通して本体ケース４０の外部に突出させる。
（１４）右ケース４２に賞球モータ４９をネジ止めし、右ケース４２の複数のボス部７７内のそれぞれに右カバー７８を通してネジを螺合することで右カバー７８を右ケース４２に装着する。
【００６８】
主動ギア５０と減速ギア５４と右従動ギア５８と左従動ギア６４のそれぞれを左ケース４１のギア室４６内に左ケース４１の左側面から突出しないように収納し、賞球モータ４９を右ケース４２のモータ室４７内に右ケース４２の右側面から突出しないように収納したので、賞球モータ４９と主動ギア５０と減速ギア５４と右従動ギア５８と左従動ギア６４のそれぞれを本体ケース４０の外部に配置する影響で本体ケース４０の左右方向の幅寸法が大きくなることが抑えられる。
【００６９】
左球供給路８０および右球供給路８３相互間の隔壁である仕切部材９５の一部分を導電性のアース仕切板９３から構成した。このため遊技球が左球供給路８０内および右球供給路８３内のそれぞれを転動するときにアース仕切板９３に接触し、遊技球からアース仕切板９３を通して静電気が放出されるようになる。しかも、仕切部材９５の残り部分をアース仕切板９３と厚さ寸法が同一な樹脂仕切板９１から構成したので、仕切部材９５が一定の厚さ寸法を備えた平板状になる。このため、左球供給路８０の壁面および右球供給路８３の壁面のそれぞれに段差が形成されることがなくなるので、遊技球が左球供給路８０内および右球供給路８３内のそれぞれを段差に引掛ることなく円滑に転動するようになる。これと共に左球供給路８０の幅寸法および右球供給路８３の幅寸法のそれぞれを拡げる必要がなくなるので、本体ケース４０の幅寸法が大きくなることが抑えられる。
【００７０】
球タンク２７の前球通路３４から本体ケース４０の左球供給路８０に遊技球を一列に供給し、左球供給路８０から左球貯留室１００内に遊技球を一列に排出し、左球貯留室１００内から左上皿誘導路１０３を通して上皿７内または左下皿誘導路１０４を通して下皿１１内に遊技球を一列に払出した。これと共に球タンク２７の後球通路３５から本体ケース４０の右球供給路８３に遊技球を一列に供給し、右球供給路８３から右球貯留室１０１内に遊技球を一列に排出し、右球貯留室１０１内から右上皿誘導路１０７を通して上皿７内または右下皿誘導路１０８を通して下皿１１内に遊技球を一列に払出した。このため、球タンク２７から本体ケース４０を経由して上皿７および下皿１１のそれぞれに至るまで遊技球が合流することなく転動するようになるので、遊技球が転動途中で詰まることなく上皿７内および下皿１１内のそれぞれに円滑に払出される。
【実施例２】
【００７１】
ギアカバー７２には、図１５に示すように、減速ギア軸受部７４と右従動ギア軸受部７５と左従動ギア軸受部７６が形成されている。これら減速ギア軸受部７４〜左従動ギア軸受部７６のそれぞれは左端面および右端面の双方が開口する円筒状をなすものであり、ギアシャフト５３の左端部は減速ギア軸受部７４の内周面を貫通してギアカバー７２から突出している。このギアシャフト５３の左端部にはリング１２９が装着されており、リング１２９はギアカバー７２に接触することに基づいてギアシャフト５３が減速ギア軸受部７４の内周面から脱落することを防止している。
【００７２】
右スプロケットシャフト５７の左端部は右従動ギア軸受部７５の内周面を貫通してギアカバー７２から突出し、左スプロケットシャフト６３の左端部は左従動ギア軸受部７６の内周面を貫通してギアカバー７２から突出している。これら右スプロケットシャフト５７および左スプロケットシャフト６３のそれぞれの左端部にはリング１２９が装着されており、右スプロケットシャフト５７のリング１２９はギアカバー７２に接触することに基づいて右スプロケットシャフト５７が右従動ギア軸受部７５の内周面から脱落することを防止し、左スプロケットシャフト６３のリング１２９はギアカバー７２に接触することに基づいて左スプロケットシャフト６３が左従動ギア軸受部７６の内周面から脱落することを防止している。
【００７３】
右従動ギア５８および左従動ギア６４のそれぞれは右マーク６８および左マーク６９相互間が一直線状となるように予め位置合せされたものであり、ギアカバー７２の両ホルダ部７１のそれぞれの内周面をギア室４６のボス部７０の外周面に嵌合したときにはギアシャフト５３がギア室４６のギア挿入孔５２を通してギア軸受部５５の内周面に回転可能に挿入され、右スプロケットシャフト５７がギア室４６の右スプロケット挿入孔５６を通して右スプロケット軸受部５９の内周面に回転可能に挿入され、左スプロケットシャフト６３がギア室４６の左スプロケット挿入孔６２を通して左スプロケット軸受部６５の内周面に回転可能に挿入される。これと共に右スプロケット６０がギア室４６の右スプロケット挿入孔５６を通して本体ケース４０の内部に収納され、左スプロケット６６がギア室４６の左スプロケット挿入孔６２を通して本体ケース４０の内部に収納される。
【実施例３】
【００７４】
左ケース４１および右ケース４２相互間には、図１６に示すように、樹脂仕切板９１に換えて樹脂仕切板１３１が挟持されている。この樹脂仕切板１３１は非導電性の合成樹脂を材料に形成されたものであり、左右方向の厚さ寸法が一定な平板状をなしている。この樹脂仕切板１３１は下仕切部１３２および下仕切部１３２から上方に突出する上仕切部１３３を有している。これら下仕切部１３２および上仕切部１３３のそれぞれは共通の成形型内に溶融樹脂を注入することに基づいて一体成形されたものであり、下仕切部１３２には複数の位置決め孔１３４が形成され、複数の位置決め孔１３４内のそれぞれには左ケース４１のネジ収納部４３を通してネジが挿入されている。これら複数のネジのそれぞれは右ケース４２のボス部４５に螺合されたものであり、樹脂仕切板１３１は左ケース４１および右ケース４２を相互に接合するネジが貫通することに基づいて左ケース４１の目標位置および右ケース４２の目標位置のそれぞれに位置決めされている。
【００７５】
樹脂仕切板１３１には、図１６に示すように、下仕切部１３２に位置して切欠状の板金収納部１３５が形成されている。この板金収納部１３５内にはアース仕切板１３６が収納されており、アース仕切板１３６は板金収納部１３５の上面と下面と後面のそれぞれに接触することに基づいて樹脂仕切板１３１の目標位置に位置決めされている。このアース仕切板１３６は左右方向の厚さ寸法が一定な導電性の金属板からなるものであり、アース仕切板１３６の左右方向の厚さ寸法および樹脂仕切板１３１の左右方向の厚さ寸法は相互に同一に設定されている。このアース仕切板１３６は左ケース４１および右ケース４２相互間で挟持されることに基づいて固定されたものであり、配線を介してアース接続されている。このアース仕切板１３６はアース仕切板９３に換えて本体ケース４０の内部に収納されたものであり、アース仕切板１３６および樹脂仕切板１３１の双方から上仕切部材１３７が構成されている。この上仕切部材１３７は左右方向の厚さ寸法が一定な平板状をなすものであり、左球供給路８０の右側面および右球供給路８３の左側面のそれぞれは上仕切部材１３７によって塞がれている。
【００７６】
左球供給路８０および右球供給路８３のそれぞれには、図１７に示すように、並行通路部８６に換えて並行通路部１３８が設定されている。これら左球供給路８０の並行通路部１３８および右球供給路８３の並行通路部１３８は相互に同一形状に設定されたものであり、上並行通路部１３９と中並行通路部１４０と下並行通路部１４１を有している。左球供給路８０の下並行通路部１４１および右球供給路８３の下並行通路部１４１のそれぞれは上下方向へ延びる直線状の部分を称するものであり、樹脂仕切板１３１の下仕切部１３２を介して左右方向に相互に対向配置されている。
【００７７】
左球供給路８０の中並行通路部１４０および右球供給路８３の中並行通路部１４０のそれぞれは、図１７に示すように、下並行通路部１４１より上方のく字状に湾曲する部分を称するものであり、アース仕切板１３６を介して左右方向に相互に対向配置されている。左球供給路８０の上並行通路部１３９および右球供給路８３の上並行通路部１３９のそれぞれは中並行通路部１４０より上方の部分を称するものである。これら左球供給路８０の上並行通路部１３９および右球供給路８３の上並行通路部１３９は樹脂仕切板１３１の下仕切部１３２および上仕切部１３３の双方を介して左右方向に相互に対向配置されたものであり、直線状の部分および非直線状の部分の双方を含んでいる。
【００７８】
左球供給路８０の上並行通路部１３９内には、図１６に示すように、直線状の部分に位置して球切れスイッチ１２５の左検出ヘッド１２７が挿入され、右球供給路８３の上並行通路部１３９内には直線状の部分に位置して球切れスイッチ１２５の右検出ヘッド１２８が挿入されており、球切れスイッチ１２５は左球供給路８０内に遊技球が充填されているか否かを左球供給路８０の上並行通路部１３９内の直線状の部分で検出し、右球供給路８３内に遊技球が充填されているか否かを右球供給路８３の上並行通路部１３９内の直線状の部分で検出する。
【００７９】
本体ケース４０の内部には、図１６に示すように、賞球ケース１４２が収納されている。この賞球ケース１４２は左ケース４１および右ケース４２相互間で挟持されることに基づいて本体ケース４０の内部に固定されたものであり、左球供給路８０の出口および右球供給路８３の出口のそれぞれより低所に配置されている。この賞球ケース１４２は、図１８に示すように、左分割ケース１４３および右分割ケース１４４を相互に接合することから構成されたものであり、左分割ケース１４３には通路部材１４５が固定されている。この通路部材１４５には円筒状のボス部１４６が形成されており、ボス部１４６は円筒状をなすホルダ部１４７の内周面に嵌合されている。このホルダ部１４７は右分割ケース１４４に形成されたものであり、左分割ケース１４３および右分割ケース１４４相互間はホルダ部１４７の内周面を通してボス部１４６の内周面にネジを螺合することに基づいて位置決め状態で固定されている。
【００８０】
左分割ケース１４３の通路部材１４５内には、図１８に示すように、垂直な仕切板１４８が固定されており、通路部材１４５の内部空間は仕切板１４８を介して左右方向に相互に対向する左中継通路１４９および右中継通路１５０に分割されている。これら左中継通路１４９および右中継通路１５０のそれぞれは、図１７に示すように、上方に向けて開口する入口および下方に向けて開口する出口を有するものである。この左中継通路１４９の入口は左球供給路８０に下並行通路部１４１の出口で接続され、右中継通路１５０の入口は右球供給路８３に下並行通路部１４１の出口で接続されており、左中継通路１４９内には球タンク２７の後球通路３５から左球供給路８０を通して遊技球が充填され、右中継通路１５０内には球タンク２７の前球通路３４から右球供給路８３を通して遊技球が充填されている。これら左中継通路１４９および右中継通路１５０のそれぞれは１個の遊技球が転動可能な大きさを有するものであり、左中継通路１４９内および右中継通路１５０内のそれぞれには遊技球が一列に充填される。
【００８１】
樹脂仕切板１３１には、図１７に示すように、下仕切部１３２に位置して左リブ１５１および右リブ１５２のそれぞれが形成されている。左リブ１５１は下仕切部１３２の左側面から左方へ突出するものであり、左球供給路８０の下並行通路部１４１内に配置されている。右リブ１５２は下仕切部１３２の右側面から右方へ突出するものであり、右球供給路８３の下並行通路部１４１内に配置されている。これら左リブ１５１および右リブ１５２のそれぞれは、図１６に示すように、傾斜面１５３および鉛直面１５４を有している。これら左リブ１５１の傾斜面１５３および右リブ１５２の傾斜面１５３のそれぞれは上から下へ向けて樹脂仕切板１３１の下仕切部１３２から離れるように傾斜するものであり、左球供給路８０内の遊技球は左リブ１５１の傾斜面１５３に沿って樹脂仕切板１３１の下仕切部１３２から離れるように転動し、右球供給路８３内の遊技球は右リブ１５２の傾斜面１５３に沿って樹脂仕切板１３１の下仕切部１３２から離れるように転動する。これら左リブ１５１の鉛直面１５４および右リブ１５２の鉛直面１５４のそれぞれは鉛直方向に真直ぐに延びるものであり、左リブ１５１の傾斜面１５３に沿って樹脂仕切板１３１の下仕切部１３２から離れるように転動した遊技球は左リブ１５１の鉛直面１５４に沿って鉛直下方向へ真直ぐに転動し、右リブ１５２の傾斜面１５３に沿って樹脂仕切板１３１の下仕切部１３２から離れるように転動した遊技球は右リブ１５２の鉛直面１５４に沿って鉛直下方向へ真直ぐに転動する。
【００８２】
賞球ケース１４２には、図１８に示すように、ステッピングモータからなる賞球モータ１５５が固定されている。この賞球モータ１５５は上下方向へ延びる回転軸を有するものであり、賞球モータ１５５の回転軸には螺旋状のスクリュー１５６が回転不能に固定されている。この賞球ケース１４２の通路部材１４５には左中継通路１４９および右中継通路１５０相互間に位置して開口部１５７が形成されており、賞球モータ１５５のスクリュー１５６は開口部１５７を通して左中継通路１４９内および右中継通路１５０内のそれぞれに挿入されている。
【００８３】
スクリュー１５６には、図１８に示すように、１個の球放出部１５８が形成されている。この球放出部１５８は螺旋が部分的に欠如した螺旋の非形成部分を称するものであり、左中継通路１４９はスクリュー１５６の球放出部１５８が左中継通路１４９内に進入することに基づいて開放され、左中継通路１４９の開放状態では左中継通路１４９内の遊技球が左中継通路１４９の出口から放出される。この左中継通路１４９の開放状態ではスクリュー１５６の球放出部１５８が右中継通路１５０内から退避することに基づいて右中継通路１５０が閉鎖されており、右中継通路１５０内の遊技球が右中継通路１５０の出口から放出されない。右中継通路１５０はスクリュー１５６の球放出部１５８が右中継通路１５０内に進入することに基づいて開放されるものであり、右中継通路１５０の開放状態では右中継通路１５０内の遊技球が右中継通路１５０の出口から放出される。この右中継通路１５０の開放状態ではスクリュー１５６の球放出部１５８が左中継通路１４９内から退避することに基づいて左中継通路１４９が閉鎖されており、左中継通路１４９内の遊技球が左中継通路１４９の出口から放出されない。即ち、左中継通路１４９および右中継通路１５０はスクリュー１５６が１回転することに基づいて交互に開放されるものであり、賞球モータ１５５は左中継通路１４９の出口および右中継通路１５０の出口のそれぞれが開放される毎に左中継通路１４９の出口および右中継通路１５０の出口のそれぞれから１個の遊技球が放出される速度でスクリュー１５６を回転操作する。
【００８４】
通路部材１４５には、図１８に示すように、センサフレーム１５９が固定されており、センサフレーム１５９には左球検出スイッチ１２１および右球検出スイッチ１２２のそれぞれが固定されている。左球検出スイッチ１２１は左中継通路１４９の出口より低所に配置されたものであり、左中継通路１４９の出口から遊技球が放出されたときには左球検出スイッチ１２１が遊技球を検出して左球検出信号を出力する。右球検出スイッチ１２２は右中継通路１５０の出口より低所に配置されたものであり、右中継通路１５０の出口から遊技球が放出されたときには右球検出スイッチ１２２が遊技球を検出して右球検出信号を出力する。
【００８５】
左中継通路１４９の出口は、図１７に示すように、左球検出スイッチ１２１の下方で左ケース４１の左球放出路９８の入口に接続されており、左中継通路１４９の出口から放出された遊技球は左球放出路９８の入口に進入する。この遊技球は左球放出路９８の出口から左ケース４１の左球貯留室１００内を通って左上皿誘導路１０３の入口または左下皿誘導路１０４の入口に進入し、左上皿誘導路１０３の出口から上皿７内または左下皿誘導路１０４の出口から下皿１１内に払出される。右中継通路１５０の出口は右ケース４２の右球放出路９９の入口に接続されており、右中継通路１５０の出口から放出された遊技球は右球放出路９９の入口に進入する。この遊技球は右球放出路９９の出口から右ケース４２の右球貯留室１０１内を通って右上皿誘導路１０７の入口または右下皿誘導路１０８の入口に進入し、右上皿誘導路１０７の出口から上皿７内または右下皿誘導路１０８の出口から下皿１１内に払出される。
【００８６】
下仕切板９６には、図１７に示すように、左球放出路９０内に位置して２個の左リブ１６０が形成され、右球放出路９９内に位置して２個の右リブ１６１が形成されている。これら両左リブ１６０および両右リブ１６１のそれぞれは、図１６に示すように、鉛直方向に真直ぐに延びる鉛直面を有するものであり、賞球ケース１４２の左中継通路１４９から放出された遊技球は両左リブ１６０のそれぞれの鉛直面によって誘導されることに基づいて鉛直下方へ転動し、賞球ケース１４２の右中継通路１５０から放出された遊技球は両右リブ１６１のそれぞれの鉛直面によって誘導されることに基づいて鉛直下方へ転動する。
【００８７】
左分割ケース１４３および右分割ケース１４４相互間には、図１８に示すように、左右方向へ延びる水平な球受けピン１６２が固定されており、球受けピン１６２の外周面には球受け１６３が挿入されている。この球受け１６３は閉鎖状態および開放状態相互間で球受けピン１６２を中心に回動可能なものであり、球受け１６３の閉鎖状態では、図１７に破線で示すように、２個の球抜き口１６４のそれぞれが球受け１６３によって閉鎖され、球受け１６３の開放状態では、図１７に二点鎖線で示すように、２個の球抜き口１６４のそれぞれが球受け１６３によって開放される。この球抜き口１６４は左中継通路１４９および右中継通路１５０のそれぞれに形成されたものであり、球受け１６３の開放状態では球タンク２７内の遊技球が左球供給路８０および左中継通路１４９のそれぞれを順に通って左中継通路１４９の球抜き口１６４内に進入し、球タンク２７内の遊技球が右球供給路８３および右中継通路１５０のそれぞれを順に通って右中継通路１５０の球抜き口１６４内に進入する。これら両球抜き口１６４のそれぞれは共通の球抜き路１１０に接続されたものであり、両球抜き口１６４のそれぞれに進入した遊技球は共通の球抜き路１１０を通して本体ケース４０の外部に排出される。
【００８８】
左分割ケース１４３および右分割ケース１４４相互間には、図１８に示すように、球抜きレバー１６５が装着されている。この球抜きレバー１６５は賞球ケース１４２から後方に操作可能に突出するものであり、回動拘束状態および回動許容状態相互間で左右方向へ延びる水平な軸１６６を中心に回動可能にされている。この球抜きレバー１６５は三角形状の係止部１６７を有するものであり、球抜きレバー１６５の回動拘束状態では係止部１６７が球受け１６３を下方から支持することに基づいて閉鎖状態に拘束する。この球抜きレバー１６５の回動許容状態では係止部１６７が球受け１６３の下方から退避し、球受け１６３が自重で閉鎖状態から開放状態に回動することに基づいて両球抜き口１６４のそれぞれが開放される。
【００８９】
上記実施例３によれば次の効果を奏する。
左球供給路８０および右球供給路８３のそれぞれに湾曲状の中並行通路部１４０を形成したので、遊技球が左球供給路８０内および右球供給路８３内のそれぞれを転動するときに中並行通路部１４０で転動速度が遅くなる。これら両中並行通路部１４０相互間の隔壁として導電性のアース仕切板１３６を使用した。このため、左球供給路８０内の遊技球および右球供給路８３内の遊技球のそれぞれがアース仕切板１３６を通過するのに要する所要時間が長くなり、左球供給路８０内の遊技球および右球供給路８３内の遊技球のそれぞれがアース仕切板１３６に接触する接触時間が長くなるので、遊技球が左球供給路８０内および右球供給路８３内のそれぞれを転動するときに遊技球からアース仕切板１３６を通して静電気が確実に放出されるようになる。
【００９０】
下仕切部１３２の左リブ１５１および右リブ１５２のそれぞれに傾斜面１５３を設けたので、左球供給路８０内の遊技球が左リブ１５１の傾斜面１５３に沿って下仕切部１３２から離間する方向へ誘導される場合および右球供給路８３内の遊技球が右リブ１５２の傾斜面１５３に沿って下仕切部１３２から離間する方向へ誘導される場合のそれぞれで遊技球から下仕切部１３２に外力が作用する。この下仕切部１３２を上仕切部１３３に一体形成したので、遊技球から下仕切部１３２に作用する外力が下仕切部１３２および上仕切部１３３の全体に分散するようになる。このため、下仕切部１３２が大きく揺れ動くことが抑えられるので、左球供給路８０内の遊技球が左リブ１５１の傾斜面１５３に沿って下仕切部１３２から離間する方向へ安定的に誘導され、右球供給路８３内の遊技球が右リブ１５２の傾斜面１５３に沿って下仕切部１３２から離間する方向へ安定的に誘導される。
【００９１】
合成樹脂製の下仕切部１３２に傾斜面１５３を有する左リブ１５１および傾斜面１５３を有する右リブ１５２を設けたので、金属製のアース仕切板１３６に左リブ１５１および右リブ１５２を設ける場合に比べて左リブ１５１および右リブ１５２の製造作業が簡単になる。しかも、成形型の形状を変更することで傾斜面１５３の角度および大きさのそれぞれを調整することができるので、傾斜面１５３の設計の自由度が高まる。
【実施例４】
【００９２】
本体ケース４０の内部には、図１９に示すように、下仕切板９６に換えて下仕切部材１７０が収納されている。この下仕切部材１７０は非導電性の合成樹脂からなる樹脂仕切板１７１および導電性の金属からなるアース仕切板１７２を有するものであり、アース仕切板１７２は配線を介してアースされている。このアース仕切板１７２は左上皿誘導路１０３の出口および右上皿誘導路１０７の出口相互間に介在され且つ左下皿誘導路１０４の出口および右下皿誘導路１０８の出口相互間に介在されたものであり、左スプロケット６６から放出された遊技球および右スプロケット６０から放出された遊技球のそれぞれは本体ケース４０の外部に排出される直前でアース仕切板１７２に接触する。
【００９３】
左上皿誘導路１０３および左下皿誘導路１０４のそれぞれには、図２０に示すように、アース仕切板１７２の全域に位置して左誘導面１７３が形成されている。これら両左誘導面１７３のそれぞれは遊技球をアース仕切板１７２に向けて誘導するものであり、アース仕切板１７２に向けて下降する傾斜状をなしている。右上皿誘導路１０７および右下皿誘導路１０８のそれぞれにはアース仕切板１７２の全域に位置して右誘導面１７４が形成されている。これら両右誘導面１７４のそれぞれは遊技球をアース仕切板１７２に向けて誘導するものであり、アース仕切板１７２に向けて下降する傾斜状をなしている。
【００９４】
上記実施例４によれば次の効果を奏する。
左上皿誘導路１０３の出口および右上皿誘導路１０７の出口相互間で且つ左下皿誘導路１０４の出口および右下皿誘導路１０８の出口相互間にアース仕切板１７２を介在した。このため、遊技球が本体ケース４０の内部から外部に排出される直前でアース仕切板１７２に接触することに基づいて遊技球から静電気が除去されるので、上皿７内および下皿１１内のそれぞれに遊技球が帯電状態で払出されることが防止される。
【００９５】
左上皿誘導路１０３の出口および左下皿誘導路１０４の出口のそれぞれに左誘導面１７３を形成した。このため、遊技球が左上皿誘導路１０３内および左下皿誘導路１０４内のそれぞれを通過する途中で左誘導面１７３に沿ってアース仕切板１７２側へ転がるので、アース仕切板１７２に確実に接触するようになる。右上皿誘導路１０７の出口および右下皿誘導路１０８の出口のそれぞれに右誘導面１７４を形成した。このため、遊技球が右上皿誘導路１０７内および右下皿誘導路１０８内のそれぞれを通過する途中で右誘導面１７４に沿ってアース仕切板１７２側へ転がるので、アース仕切板１７２に確実に接触するようになる。
【００９６】
上記実施例１〜実施例４のそれぞれにおいては、前後方向に相互に並ぶ前ケースおよび後ケースを接合することから本体ケース４０を構成しても良い。
【図面の簡単な説明】
【００９７】
【図１】実施例１を示す図（パチンコ遊技機の外観を前方から示す図）
【図２】内枠の外観を前方から示す斜視図
【図３】内枠の外観を後方から示す斜視図
【図４】内枠の外観を上方から示す図
【図５】（ａ）は本体ケースの外観を前方から示す図、（ｂ）は矢印Ｘｂ視図、（ｃ）は矢印Ｘｃ視図
【図６】本体ケースの外観を前方から示す斜視図
【図７】（ａ）は本体ケースの外観を左カバーおよび右カバーの除去状態で前方から示す図、（ｂ）は矢印Ｘｂ視図、（ｃ）は矢印Ｘｃ視図
【図８】本体ケースの外観を左カバーおよび右カバーの除去状態で前方から示す斜視図
【図９】本体ケースの外観を分解状態で前方から示す斜視図
【図１０】（ａ）は左ケースの外観を前方から示す図、（ｂ）は矢印Ｘｂ視図、（ｃ）は矢印Ｘｃ視図
【図１１】左ケースの外観を前方から示す斜視図
【図１２】本体ケースの内部構成を右側方から示す断面図
【図１３】（ａ）は図５のＡ−Ａ線に沿う断面図、（ｂ）は図５のＢ−Ｂ線に沿う断面図、（ｃ）は図５のＣ−Ｃ線に沿う断面図、（ｄ）は図５のＤ−Ｄ線に沿う断面図
【図１４】図５のＥ−Ｅ線に沿う断面図
【図１５】実施例２を示す図（左スプロケットおよび右スプロケットのギアカバーに対する装着状態を示す断面図）
【図１６】実施例３を示す図９相当図
【図１７】（ａ）は本体ケースの外観を前方から示す図、（ｂ）はＸｂ線に沿う断面図、（ｃ）はＸｃ線に沿う断面図
【図１８】賞球ケースの外観を分解状態で前方から示す斜視図
【図１９】実施例４を示す図９相当図
【図２０】左誘導面および右誘導面を前方から示す図
【符号の説明】
【００９８】
７は上皿、１１は下皿、１４は遊技盤、２１は遊技領域、２２は入賞口、２３は入賞口センサ、２７は球タンク、４０は本体ケース、４１は左ケース（第１のケース）、４２は右ケース（第２のケース）、８０は左球供給路（第１の球供給路）、８３は右球供給路（第２の球供給路）、１００は左球貯留路（第１の球排出室）、１０１は右球貯留路（第２の球排出室）、１０２は左区画部材（第１の区画部材）、１０３は左上皿誘導路（第１の上皿通路）、１０４は左下皿誘導路（第１の下皿通路）、１０６は右区画部材（第２の区画部材）、１０７は右上皿通路（第２の上皿通路）、１０８は右下皿通路（第２の下皿通路）、１７０は下仕切部材（仕切部材）、１７１は樹脂仕切板、１７２はアース仕切板（金属仕切板）を示している。
【図１】
0005115142.tif 000002
【図２】
0005115142.tif 000003
【図３】
0005115142.tif 000004
【図４】
0005115142.tif 000005
【図５】
0005115142.tif 000006
【図６】
0005115142.tif 000007
【図７】
0005115142.tif 000008
【図８】
0005115142.tif 000009
【図９】
0005115142.tif 000010
【図１０】
0005115142.tif 000011
【図１１】
0005115142.tif 000012
【図１２】
0005115142.tif 000013
【図１３】
0005115142.tif 000014
【図１４】
0005115142.tif 000015
【図１５】
0005115142.tif 000016
【図１６】
0005115142.tif 000017
【図１７】
0005115142.tif 000018
【図１８】
0005115142.tif 000019
【図１９】
0005115142.tif 000020
【図２０】
0005115142.tif 000021